(57)【特許請求の範囲】
【請求項１】
複数の入力チャンネルから出力される複数の信号をミキシングする混合バスを備え、該混合バスによりミキシングされた信号を出力チャンネルへ出力するミキシング装置であって、
キューすることを指示されたチャンネルの信号が供給されるキューバスと、
該キューバスから入力される信号に対して、複数の信号処理部により一連の信号処理を施すことができ、信号処理が施された信号を出力するキュー信号処理部と、
各チャンネルは属性に応じて複数のチャンネル種類のいずれかに分類されると共に、前記各チャンネル種類は他のチャンネル種類に依存することなく単独で前記キュー信号処理部における前記各信号処理部のオン／オフ状態を設定する基本種類と、他のチャンネル種類のオン／オフ状態の設定に依存して前記キュー信号処理部における前記各信号処理部のオン／オフ状態を設定する応用種類のいずれかに分類されて、前記基本種類に属する前記チャンネル種類毎に前記キュー信号処理部における前記各信号処理部のオン／オフ状態を表すオン／オフ設定データを記憶し、前記応用種類に属する前記チャンネル種類毎に他のチャンネル種類のオン／オフ状態の設定に依存して前記キュー信号処理部における前記各信号処理部のオン／オフ状態を決定するためのオン／オフ決定規則を記憶する記憶部とを備え、
キューするチャンネルが変更された時に、変更後のキューするチャンネルが前記基本種類に属するか前記応用種類に属するかが確認され、
前記基本種類に属すると確認された場合は、当該チャンネルが分類されているチャンネル種類用の前記オン／オフ設定データが読み出され、読み出された当該オン／オフ設定データに従って、前記キュー信号処理部における前記各信号処理部をオンあるいはオフし、
前記応用種類に属すると確認された場合は、当該チャンネルが分類されているチャンネル種類用の前記オン／オフ決定規則が読み出され、読み出された前記オン／オフ決定規則で規定されている参照すべき前記オン／オフ設定データが読み出されて、読み出された当該オン／オフ設定データおよび読み出された前記オン／オフ決定規則に従って、前記キュー信号処理部における前記各信号処理部をオンあるいはオフすることを特徴とするミキシング装置。
【請求項２】
さらに表示手段を備え、該表示手段に表示されたユーザインタフェース画面に、前記基本種類に分類される前記チャンネル種類のみが提示され、提示された前記チャンネル種類において選択された前記チャンネル種類用の前記オン／オフ設定データの内容を更新する指示がされた際に、指示された更新内容に基づいて該当するチャンネル種類用の前記オン／オフ設定データが更新されることを特徴とする請求項１記載のミキシング装置。
【発明の詳細な説明】
【技術分野】
【０００１】
この発明は、各部の信号を検聴するためのキュー信号に信号処理を施しているミキシング装置に関する。
【背景技術】
【０００２】
従来、オーディオ信号処理装置の一つとして、多数のマイクロホンあるいは電気・電子楽器などから出力されるオーディオ信号のレベルや周波数特性を調整してミキシングし、パワーアンプに送り出す演奏会、イベント、集会、演劇などに使用されるミキシング装置が知られている。ミキシング装置を操作するオペレータは、楽器の演奏音やボーカルの各オーディオ信号の音量や音色を、ミキシング装置における各種パネル操作子を操作することにより、演奏を最もふさわしく表現していると思われる状態に調整している。ミキシング装置は、入力信号系列として複数の入力チャンネルと、該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【０００３】
このようなミキシング装置におけるミキシング状態を変化させずに、ある入力チャンネルあるいは出力チャンネルの信号を検聴するためのキュー（ＣＵＥ）機能部がミキシング装置に備えられている。キュー機能では、各入力チャンネルあるいは各出力チャンネルを制御しているチャンネルストリップのキュースイッチをオンすることにより、選択した入力チャンネルあるいは出力チャンネルの信号がキューバスに入力され、そのキューバスからのキュー信号がオペレータにヘッドフォンやモニタ用スピーカなどから出力されるようになる。この場合、ミキシング装置のオペレータの位置において、メインのスピーカから聴こえてくる音響は伝搬遅延を伴っており、オペレータが検聴しているキュー信号との時間差を吸収するため、キュー信号を遅延するディレイがキュー機能部に設けられている。
【０００４】
このキュー機能部のディレイでは入力チャンネルの信号をキューしたときにもそのキュー信号に遅延がかかるようになっていた。しかしながら、入力チャンネルの信号はミキシング前の信号であってメインのスピーカから出力される音響信号の一部でしかないことから、キューする場合にその音響信号と位相を合わせる必要性はない。むしろ、入力チャンネルの信号をキューする場合には遅延されていないリアルタイムなキュー信号をモニタすることが望まれるが、従来のミキシング装置では入力チャンネルの信号をキューする際にキュー機能部で遅延されるためリアルタイムなキュー信号をモニタすることができない。そこで、キューが指示された場合は、キューされる信号が入力チャンネルか出力チャンネルかを判断して入力チャンネルと判断された場合はディレイをバイパスすることが提案されている。
【０００５】
また、出力チャンネルにはイコライザが備えられており、このイコライザは聴衆の視聴位置における周波数バランスを調整するとともに、会場内のマイクによるハウリングを防止している。さらに、モニタルームでは、会場に比べて部屋が狭く低域がこもってぼやけた音になるため、キュー機能部において、供給される信号をイコライザを使用してブーミーな帯域を絞り、音像がクリアになるよう調整してモニタルームに出力している。しかし、キュー機能部におけるイコライザは常時有効となっているため、ある出力チャンネルの信号の検聴を行なう場合にキュー信号には、その出力チャンネルに挿入されているイコライザとキューチャンネルに挿入されているイコライザとによる信号処理が行われ、出力チャンネルの音をそのまま確認することができないことになる。そこで、キューが指示された場合は、キューされる信号が入力チャンネルか出力チャンネルかを判断して出力チャンネルと判断された場合はイコライザをバイパスすることが提案されている。
【先行技術文献】
【特許文献】
【０００６】
【特許文献１】特開２００５−２５２３２８号公報
【特許文献２】特開２００６−２７０５０７号公報
【発明の概要】
【発明が解決しようとする課題】
【０００７】
近年のディジタルミキサ技術の発展にともなって、キュー信号にかける信号処理を多彩にすることが可能となっている。例えば、本発明の発明者は、キュー信号処理部においてディレイ、イコライザに加えてインサートを設け、エフェクタ等をインサートしてキュー信号処理部に入力された信号に信号処理を行うことを提案している。このように信号処理が多彩になると、キュー信号のカテゴリに応じて実行する信号処理を設定する作業が複雑になり、従来のミキシング装置では対応しきれないと云う問題点があった。
そこで、本発明はキュー信号にかけられる信号処理が多彩になっていても、キュー信号に施す信号処理を容易に設定できるミキシング装置を提供することを目的としている。
【課題を解決するための手段】
【０００８】
上記目的を達成するために、本発明のミキシング装置は、複数の入力チャンネルから出力される複数の信号をミキシングする混合バスを備え、該混合バスによりミキシングされた信号を出力チャンネルへ出力するミキシング装置であって、キューすることを指示されたチャンネルの信号が供給されるキューバスと、該キューバスから入力される信号に対して複数の信号処理部により一連の信号処理を施すことができ、信号処理が施された信号を出力するキュー信号処理部と、各チャンネルは属性に応じて複数のチャンネル種類のいずれかに分類されると共に、前記各チャンネル種類は他のチャンネル種類に依存することなく単独で前記キュー信号処理部における前記各信号処理部のオン／オフ状態を設定する基本種類と、他のチャンネル種類のオン／オフ状態の設定に依存して前記キュー信号処理部における前記各信号処理部のオン／オフ状態を設定する応用種類のいずれかに分類されて、前記基本種類に属する前記チャンネル種類毎に前記キュー信号処理部における前記各信号処理部のオン／オフ状態を表すオン／オフ設定データを記憶し、前記応用種類に属する前記チャンネル種類毎に他のチャンネル種類のオン／オフ状態の設定に依存して前記キュー信号処理部における前記各信号処理部のオン／オフ状態を決定するためのオン／オフ決定規則を記憶する記憶部とを備え、キューするチャンネルが変更された時に、変更後のキューするチャンネルが前記基本種類に属するか前記応用種類に属するかが確認され、前記基本種類に属すると確認された場合は、当該チャンネルが分類されているチャンネル種類用の前記オン／オフ設定データが読み出され、読み出された当該オン／オフ設定データに従って、前記キュー信号処理部における前記各信号処理部をオンあるいはオフし、前記応用種類に属すると確認された場合は、当該チャンネルが分類されているチャンネル種類用の前記オン／オフ決定規則が読み出され、読み出された前記オン／オフ決定規則で規定されている参照すべき前記オン／オフ設定データが読み出されて、読み出された当該オン／オフ設定データおよび読み出された前記オン／オフ決定規則に従って、前記キュー信号処理部における前記各信号処理部をオンあるいはオフすることを最も主要な特徴としている。
【発明の効果】
【０００９】
本発明によれば、キューするチャンネルが変更された時に、変更後のキューするチャンネルのチャンネル種類が確認され、確認されたチャンネル種類用のオン／オフ設定データが読み出されて、読み出された当該オン／オフ設定データに従って、キュー信号処理部における各信号処理部をオンあるいはオフしていることから、キュー信号にかけられる信号処理が多彩になっていても、キュー信号に施す信号処理を容易に設定できるミキシング装置とすることができる。
【図面の簡単な説明】
【００１０】
【図１】本発明の実施例であるミキシング装置の構成を示すブロック図である。
【図２】本発明にかかるミキシング装置の信号処理部で行われるミキシング処理と、該ミキシング処理に接続された波形Ｉ／Ｏの入出力ポートの等価的な機能ブロック図である。
【図３】本発明にかかるミキシング装置の入力チャンネルの詳細構成を示す図である。
【図４】本発明にかかるミキシング装置のステレオ出力チャンネルの詳細構成を示す図である。
【図５】本発明にかかるミキシング装置のＭＩＸ出力チャンネルの詳細構成を示す図である。
【図６】本発明にかかるミキシング装置のキュー信号処理部の詳細構成を示す図である。
【図７】本発明にかかるミキシング装置における第１のＣＵＥ編集ＵＩの表示画面を示す図である。
【図８】本発明にかかるミキシング装置において実行されるキュー信号設定処理（１）のフローチャートである。
【図９】本発明にかかるミキシング装置において実行されるキュー信号設定処理（２）のフローチャートである。
【図１０】本発明にかかるミキシング装置における第２のＣＵＥ編集ＵＩの表示画面を示す図である。
【図１１】本発明にかかるミキシング装置において実行されるオン／オフ設定の応用ファイル作成処理のフローチャートである。
【図１２】本発明にかかるミキシング装置において実行されるキュー信号設定処理（３）のフローチャートである。
【図１３】本発明にかかるミキシング装置において実行されるＤＣＡ用処理のフローチャートである。
【発明を実施するための形態】
【００１１】
本発明の実施例であるミキシング装置の構成を示すブロック図を図１に示す。
図１に示す本発明の実施例に係るミキシング装置１において、ミキシング装置１の全体の動作を制御すると共に、ミキシング用の操作子の操作に応じて制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してミキシング装置１に接続される。
【００１２】
ミキシング装置１の全ての入力と全ての出力は波形Ｉ／Ｏ（波形データインタフェース）１４により行われる。この波形Ｉ／Ｏ１４は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。また、波形Ｉ／Ｏ１４には、ミキシング装置１のオペレータが操作子を操作する際のキュー／モニタ信号を出力するモニタ用ポートも備えられている。このモニタ用ポートからのキュー／モニタ信号がオペレータルームの操作者用モニタ２０に供給されることにより、オペレータは各種チャンネルの信号をモニタしながらミキシング装置１の操作を行うことができる。さらに、ミキシング状態を変化させずに、ある入力チャンネルあるいは出力チャンネルの信号や出演者に送られる信号等を検聴することができるようになる。また、信号処理部１５は多数のＤＳＰ（Digital Signal Processor）を用いて構成されており、ＣＰＵ１０の制御の元でミキシング処理や音響信号処理などを行っている。
【００１３】
表示器１６は、各チャンネルのパラメータを設定する設定画面や後述するＣＵＥ編集ＵＩが表示される液晶表示装置等からなるディスプレイである。電動フェーダ１７は、入力チャンネルの信号あるいは出力チャンネルの信号のレベルを調整するフェーダであり、手動および電動によりレベル調整することができる。操作子１８は、図示しないパネルに設けられているチャンネルストリップを出力チャンネルあるいは入力チャンネルに割り当てる割当スイッチ、表示器１６に表示されるカーソルを移動するカーソル移動キー、設定される値を増減する増減キー、設定される値を選択するロータリエンコーダ、設定した値を確定させるエンターキー等からなるパネルに設けられている操作子である。各部はバス１９により相互にデータの授受を行っている。
【００１４】
次に、本発明にかかる図１に示す構成のミキシング装置１の信号処理部（ＤＳＰ）１８で行われるミキシング処理と、該ミキシング処理に接続された波形Ｉ／Ｏ１４の入出力ポートの等価的な機能ブロック図を図２に示す。
図２において、複数のアナログ入力ポート部（Ａ入力）３０に入力された複数のアナログ信号は、波形Ｉ／Ｏ１４に内蔵されているＡＤ変換器によりディジタル信号に変換されて入力パッチ３２に入力される。また、複数のディジタル入力ポート部（Ｄ入力）３１に入力された複数のディジタル信号は、そのまま入力パッチ３２に入力される。入力パッチ３２では、信号の入力元である複数の入力ポートの何れか１つの入力ポートを、例えば４８チャンネルとされる入力ｃｈ部３３の各入力チャンネル毎に選択的にパッチ（結線）することができ、各入力チャンネルには、入力パッチ３２でパッチされた入力ポートからの信号が供給される。
【００１５】
入力ｃｈ部３３における各入力チャンネルには、アッテネータ、イコライザ、コンプレッサやゲート、フェーダと、１２本の混合バス（MIX1~12）３４への送り出しレベルを調整するセンド調整部が備えられており、これらの入力チャンネルにおいて、周波数バランスやレベル制御および混合バス３４への送出レベルが調整される。入力ｃｈ部３３から出力される４８チャンネルの入力チャンネル信号は、それぞれ１２本の混合バス３４の１ないし複数に選択的に出力されると共に、ステレオバス（ST L/R）３５に選択的に出力される。混合バス３４においては、１２本の各バスにおいて、４８入力チャンネルのうちの任意の入力チャンネルから選択的に入力された１ないし複数の入力チャンネル信号がミキシングされて、ミキシング出力が１２チャンネルとされた出力ｃｈ部３８に出力される。これにより、１２通りにミキシングされたＭＩＸ出力チャンネルのミキシング出力を得ることができる。出力ｃｈ部３８における各ＭＩＸ出力チャンネルには、アッテネータ、イコライザ、コンプレッサ、フェーダが備えられており、これらの出力チャンネルにおいて、周波数バランスやレベル調整および出力パッチ４０へ送出されるレベルが制御される。
【００１６】
また、ステレオバス３５においては、Ｌ，Ｒチャンネルの各バスにおいて４８入力チャンネルのうちの任意の入力チャンネルから選択的に入力された１ないし複数の入力チャンネル信号がミキシングされて、Ｌ，Ｒチャンネルのステレオ信号がステレオ出力ｃｈ部３７に出力される。ステレオ出力ｃｈ部３７におけるＬ，Ｒチャンネルのステレオ出力チャンネルには、アッテネータ、イコライザ、コンプレッサ、フェーダが備えられており、これらのステレオ出力チャンネルにおいて、周波数バランスやレベル調整および出力パッチ４０へ送出されるレベルが制御される。
さらに、ステレオとされたキューバス（CUE(ST)）３６には、キューが指示された入力ｃｈ部３３における入力チャンネルの信号、キューが指示されたステレオ出力ｃｈ部３７のＬ，Ｒチャンネルのステレオ信号、キューが指示された出力ｃｈ部３８における出力チャンネルの信号が出力される。この場合、入力チャンネル、ステレオ出力チャンネル、ＭＩＸ出力チャンネルのいずれか一つにしかキューは指示されない。キューバス３６から出力されるキュー信号は、キュー信号処理部（CUE(ST)）３９に出力される。キュー信号処理部３９には、ディレイ、インサート、イコライザ（ＥＱ）が備えられており、キューが指示されたチャンネルの属性に応じた信号処理がキュー信号に実行されてキュー信号処理部３９から出力される。キュー信号処理部３９から出力されるキュー出力は、出力パッチ４０およびＣＵＥ用Ａ出力（ＳＴ）ポート４３に供給される。
【００１７】
出力パッチ４０では、信号の入力元であるステレオ出力ｃｈ部３７のステレオ出力チャンネル、出力ｃｈ部３８からのＭＩＸ出力チャンネル、キュー信号処理部３９からのキュー出力の何れかを、アナログ出力ポート部（Ａ出力）４１やディジタル出力ポート部（Ｄ出力）４２の各出力ポート毎に選択的にパッチ（結線）することができ、各出力ポートには、出力パッチ４０でパッチされたチャンネルからの信号が供給される。
また、複数のアナログ出力ポートを備えるアナログ出力ポート部（Ａ出力）４１へ供給されたディジタル出力信号は、波形Ｉ／Ｏ１４に内蔵されているＤＡ変換器によりアナログ出力信号に変換されてアナログ出力ポートから出力される。そして、アナログ出力ポート部（Ａ出力）４１から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）４２から出力されるディジタルオーディオ信号は、レコーダや外部接続されたＤＡＴ等に供給されてディジタル録音することができるようにされている。また、ＣＵＥ用Ａ出力（ＳＴ）ポート４３へ供給されたキュー出力は、アナログ出力信号に変換されてモニタルームのモニタ用スピーカやオペレータが装着するヘッドホンから出力される。
【００１８】
次に、入力ｃｈ部３３における４８チャンネルの各入力チャンネルの構成は同一とされており、その内の１チャンネル分の入力チャンネル３３ａの詳細構成を図３に示す。
図３に示すように１チャンネル分の入力チャンネル３３ａに、入力パッチ３２から入力された信号は、リミッタ、コンプレッサ、イコライザ（ＥＱ）、ディレイ等の処理部５０でレベルや周波数特性および遅延時間が調整される。ディレイで信号を遅延するのは他の入力チャンネルにおける信号とのタイミングを合わせるためであり、ステレオ信号の場合にはＬ，Ｒチャンネルのタイミングを合わせられるようになる。処理部５０から出力される信号はＣＨフェーダ５１でレベルが制御され、入力チャンネル３３ａをオンするＣＨオンスイッチ５２に供給される。ＣＨオンスイッチ５２から出力される入力チャンネル信号は、入力チャンネル３３ａにキューが指示された際にオンされるINPUT CUEキー５３を介してキューバス３６に供給される。
【００１９】
また、ＣＨオンスイッチ５２から出力される入力チャンネル信号は、１２個の送出レベル調整手段（SND_L1〜SND_L12）でそれぞれ送出レベルが調整され、１２個の送出スイッチ（SND_ON1〜SND_ON12）を介して１２本の混合バス３４の１本づつに供給されている。送出レベル調整手段（SND_L1〜SND_L12）および送出スイッチ（SND_ON1〜SND_ON12）の設定は、１２本の混合バス３４毎に所望の設定が行われる。さらに、ＣＨオンスイッチ５２から出力される入力チャンネル信号は、Ｌ，Ｒチャンネルの送出レベル調整手段（SND_LL，SND_LR）でそれぞれ送出レベルが調整され、Ｌ，Ｒチャンネルの送出スイッチ（SND_ONL，SND_ONR）を介してＬ，Ｒチャンネルのステレオバス３５にそれぞれ供給されている。さらにまた、処理部５０に入力されたキーイン信号は、キーインチャンネルのキューが指示された際にオンされるKEYIN CUEキー５４を介してキューバス３６に供給される。なお、キーインとは、複数チャンネルにおいて同時にコンプレッサの圧縮動作を開始させることのできる機能であり、あるチャンネルにおいてどのチャンネルの入力レベルを参照するかのキーインの設定を行うことにより、当該チャンネルにおいて選択したチャンネルの入力レベルを参照してコンプレッサの圧縮動作を開始させることができる。キーインが設定されたキーインチャンネルでは、キーインの設定により選択されたチャンネルの信号がキーイン信号として入力され、キーイン信号のレベルに基づいてコンプレッサが動作するようになる。
【００２０】
次に、ステレオ出力ｃｈ部３７におけるＬ，Ｒチャンネルのステレオ出力チャンネルの構成は同一とされており、その内の１チャンネル分のステレオ出力チャンネル３７ａの構成例を図４に示す。
図４に示すように１チャンネル分のステレオ出力チャンネル３７ａにおいて、Ｌ，Ｒチャンネルのステレオバス３５のいずれかから出力された信号は、コンプレッサ、イコライザ（ＥＱ），ディレイ等の処理部６０でレベルや周波数特性および遅延時間が調整される。ディレイで信号を遅延するのは、Ｌ，Ｒチャンネルのタイミングを合わせるためである。処理部６０から出力される信号はＣＨフェーダ６１に供給されてレベルが制御され、ステレオ出力チャンネル３７ａをオンするＣＨオンスイッチ６２に供給される。ＣＨオンスイッチ６２から出力されるステレオ出力チャンネル信号は、出力パッチ４０へ供給される。また、処理部６０に入力されたキーイン信号は、キーインチャンネルのキューが指示された際にオンされるKEYIN CUEキー６３を介してキューバス３６に供給される。さらに、ＣＨフェーダ６１からのステレオ出力チャンネル信号は、ステレオ出力チャンネル３７ａにキューが指示された際にオンされるST CUEキー６４を介してキューバス３６に供給される。
【００２１】
次に、ＭＩＸ出力ｃｈ部３８における１２チャンネルの各ＭＩＸ出力チャンネルの構成は同一とされており、その内の１チャンネル分のＭＩＸ出力チャンネル３８ａの構成例を図５に示す。
図５に示すように１チャンネル分のＭＩＸ出力チャンネル３８ａにおいて、１２本の混合バス３４のいずれかから出力された信号は、コンプレッサ、イコライザ（ＥＱ）、ディレイ等の処理部７０でレベルや周波数特性および遅延時間が調整される。ディレイで信号を遅延するのは、出力ポートからの出力信号が供給されるスピーカから出力される音響において聴衆の聴いている位置における定位状態を整えるためである。処理部７０から出力される信号はＣＨフェーダ７１に供給されてレベルが制御され、ＭＩＸ出力チャンネル３８ａをオンするＣＨオンスイッチ７２に供給される。ＣＨオンスイッチ７２から出力されるＭＩＸ出力チャンネル信号は、出力パッチ４０へ供給される。また、処理部７０に入力されたキーイン信号は、キーインチャンネルにキューが指示された際にオンされるKEYIN CUEキー７３を介してキューバス３６に供給される。さらに、ＣＨフェーダ７１からのＭＩＸ出力チャンネル信号は、ＭＩＸ出力チャンネル３８ａにキューが指示された際にオンされるMIX CUEキー７４を介してキューバス３６に供給される。
【００２２】
次に、Ｌ，Ｒチャンネル毎のキュー信号処理部３９は同一の構成とされており、その内の１チャンネル分のキュー信号処理部３９ａの詳細構成を図６に示す。
図６に示すように、キュー信号処理部３９ａにはキューバス３６からの信号が供給される。キューバス３６には前述したようにキューが指示されたチャンネル（ＣＵＥキーがオンされたチャンネル）の信号が入力されている。キュー信号処理部３９ａは、信号を遅延するディレイ８０、ＯＵＴ端子とＩＮ端子を有するインサート８２、信号の周波数軸上のレベルを調整するイコライザ（ＥＱ）８３、レベルを調整するフェーダ８５およびキューする場合にオンされるスイッチ８６を有している。スイッチ８６からの出力は出力パッチ４０に供給されると共に、ＣＵＥ用Ａ出力（ＳＴ）ポート４３から出力されてオペレータ用のフォン出力となる。
前記したように、メインのスピーカから聴こえてくる音響はオペレータまで伝搬する間に伝搬遅延を伴うようになることからディレイ８０を設けて、この伝搬遅延に合わせてディレイ８０によりキュー信号に遅延を与えている。また、インサート８２のＯＵＴ端子からの信号は音響信号処理手段に入力され、音響信号処理手段からの出力はＩＮ端子に入力されている。音響信号処理手段は、例えばエフェクタとされる。さらに、前記したように会場に比べてオペレータがいるモニタルームは部屋が狭く低域がこもってぼやけた音になることから、ＥＱ８３を設けて良好な音になるよう補正している。
【００２３】
前記したように、ディレイ８０はキューが指示されたチャンネルが入力チャンネルの場合は不要であり、ＥＱ８３はキューが指示されたチャンネルがＭＩＸ出力チャンネルやステレオ出力チャンネルの場合は不要となり、インサート８２もキューが指示されたチャンネルの種類によっては不要となる。そこで、ディレイ８０をバイパスすることができるスイッチ８１と、インサート８２をバイパスすることができるスイッチ８２ａと、ＥＱ８３をバイパスすることができるスイッチ８４が設けられている。ここで、いずれかの入力チャンネルをキューすべくそのＣＵＥキーがオンされた場合は、スイッチ８１の可動接点ｃは固定接点ｂ側に切り換えられディレイ８０はバイパスされる。また、スイッチ８４の可動接点ｃは固定接点ａ側に切り換えられＥＱ８３は有効とされる。さらに、いずれかのＭＩＸ出力チャンネルあるいはステレオ出力チャンネルをキューすべくそのＣＵＥキーがオンされた場合は、スイッチ８１の可動接点ｃは固定接点ａ側に切り換えられディレイ８０は有効とされる。また、スイッチ８４の可動接点ｃは固定接点ｂ側に切り換えられＥＱ８３はバイパスされる。さらにまた、ＣＵＥキーがオンされたチャンネルにオペレータがエフェクトをかけて聴きたい場合は、スイッチ８２ａの可動接点ｃは固定接点ｂ側に切り換えられインサート８２は有効とされる。また、ＣＵＥキーがオンされたチャンネルにオペレータがエフェクトをかけることなく聴きたい場合は、スイッチ８２ａの可動接点ｃは固定接点ａ側に切り換えられインサート８２はバイパスされる。これらの具体例は、一部のチャンネルについてのキュー信号処理部３９における信号処理の典型的な組み合わせの例であって、本発明はこれに限定されるものではない。
【００２４】
ところで、ミキシング装置１におけるチャンネルは、そのチャンネルの属性に応じて６つのチャンネル種類に分けられており、ミキシング装置１における全てのチャンネルは、６つのチャンネル種類のいずれか１つに分類されている。このことから、ミキシング装置１においては、キューバス３６に送ることができるチャンネル種類が６種類となって、キュー信号のチャンネル種類が細分化されることになり、キュー信号にかけられる信号処理が多彩になっている。なお、属性に応じて分けられた６つのチャンネル種類とは、入力チャンネル、ＭＩＸ出力チャンネル、ステレオ出力チャンネル、ＤＣＡタイプ１チャンネル、ＤＣＡタイプ２チャンネル、キーインチャンネルのチャンネル種類とされている。ＤＣＡとは、複数のチャンネルを１つのＤＣＡグループとしてまとめ、そのＤＣＡグループに属するチャンネルの信号レベルの値を一括して調整する機能である。そして、上記ＤＣＡタイプ１チャンネルは入力チャンネルを含むが、ＭＩＸ出力チャンネル、ステレオ出力チャンネルを含まないタイプとされ、ＤＣＡタイプ２チャンネルはＭＩＸ出力チャンネル、ステレオ出力チャンネルを含むが、入力チャンネルを含まないタイプとされている。キューバス３６に入力できるチャンネルは、上記した６つのチャンネル種類の内のいずれか１種類のチャンネルとされる。この場合、同じチャンネル種類であれば複数のチャンネルを同時にキューバス３６へ入力することができる。
【００２５】
ディレイ８０，インサート８２およびＥＱ８３によるキュー信号にかける信号処理の組み合わせは、そのキュー信号とされるチャンネル種類に応じて概ね特定できるものである。このことから、キュー信号処理部３９においてディレイ８０をオン／オフするスイッチ８１、インサート８２をオン／オフするスイッチ８２ａ、ＥＱ８３をオン／オフするスイッチ８４のオン／オフは、キュー信号とされるチャンネル種類に応じて決まる。そこで、スイッチ８１，８２ａ、８４のオン／オフ状態をチャンネル種類に応じて予め設定しておき、設定した内容を当該チャンネル種類に対する定義としてチャンネル種類毎にCUE信号処理ファイルを記録しておくようにする。そして、キューが指示されたチャンネルが切り替えられた際に、切り替え後のチャンネルのチャンネル種類に対応するCUE信号処理ファイルから定義を読み出してキュー信号処理部３９に設定する。これにより、キュー信号処理部３９におけるキュー信号にかける信号処理の組み合わせを、簡単で迅速かつ正確に設定できるようになる。なお、スイッチ８１，８２ａ、８４のオン／オフ状態は、オンが当該スイッチで切り換えられる信号処理が有効な状態に相当し、オフが当該スイッチで切り換えられる信号処理が無効な状態に相当する。
【００２６】
次に、CUE信号処理ファイルの編集を行う第１のＣＵＥ編集ＵＩ９０の表示画面を図７に示す。
図７に示す第１のＣＵＥ編集ＵＩ９０は、CUE信号処理ファイルの編集を行うことができる。第１のＣＵＥ編集ＵＩ９０において、CUE信号処理ファイルの編集を行う際には、「ｃｈ種類」の欄に表示されているチャンネル種類のリストから編集するチャンネル種類をユーザが選択する。リストには、INPUT(入力チャンネル)、MIX(ＭＩＸ出力チャンネル)、STEREO(ステレオ出力チャンネル)、DCAタイプ1（ＤＣＡタイプ１チャンネル）、DCAタイプ2（ＤＣＡタイプ２チャンネル）、KEYIN（キーインチャンネル）のキューすることができる全種類（６種類）のチャンネル種類が上げられている。図示する例では矩形の枠で囲まれた「STEREO」のチャンネル種類が選択されており、選択されたステレオ出力チャンネルのチャンネル種類に対応するCUE信号処理ファイルが編集対象のファイルとして設定される。次に、「ディレイ」のオン／オフ指示を設定する欄において、ユーザがオンかオフかを選ぶ。図示する例では矩形の枠で囲まれた「オン」が選択されている。また、「インサート」のオン／オフ指示を設定する欄および「ＥＱ」のオン／オフ指示を設定する欄において、ユーザがオンかオフかを選ぶ。図示する例では、「インサート」の欄では矩形の枠で囲まれた「オン」が選択され、「ＥＱ」の欄では矩形の枠で囲まれた「オフ」が選択されている。ここで、「確定」ボタンをクリックすると選択されたオン／オフ状態が、編集対象のCUE信号処理ファイルに上書きされる。すなわち、編集対象のステレオ出力チャンネルのチャンネル種類に対応するCUE信号処理ファイルに記録されている「ディレイ」「インサート」「ＥＱ」それぞれのオン／オフ指示が選択された状態に書き換えられる。
【００２７】
次に、本発明にかかるミキシング装置１において実行されるキュー信号設定処理（１）のフローチャートを図８に示す。
チャンネルごとに用意されているいずれかのチャンネルのＣＵＥキーが操作されたときにキュー信号設定処理（１）が起動され、ステップＳ１０にて操作されたＣＵＥキーに対応するチャンネルが制御対象のチャンネルとされ、制御対象のチャンネルをキューバス３６に接続する。この場合、制御対象のチャンネルのＣＵＥキーはオンに設定され、それまでにキューバス３６へ接続されていたチャンネルのＣＵＥキーをオフに設定して、当該チャンネルをキューバス３６から切り離す。また、いずれかのチャンネルをアサインすることができ、アサインされたチャンネルのレベル制御を行うフェーダ等が設けられているチャンネルストリップには、入力チャンネル、ＭＩＸ出力チャンネル、ステレオ出力チャンネル、ＤＣＡチャンネルをアサインすることができる。このチャンネルストリップ毎にＣＵＥキーが配置されており、操作されたＣＵＥキーのチャンネルストリップにアサインされているチャンネルが制御対象のチャンネルに設定される。なお、それまでにキューバス３６に接続されていたチャンネルが制御対象のチャンネルと同じチャンネル種類の場合は、それまでのチャンネルを切り離さず、制御対象のチャンネルを追加的にキューバス３６へ接続してもよい。
【００２８】
次いで、ステップＳ１１にてCUE信号処理ファイルの新たなオン／オフ設定を決定する。このステップＳ１１では、制御対象のチャンネルにおけるチャンネル種類を検出して、検出したチャンネル種類に該当するCUE信号処理ファイルを読み出す。そして、読み出したCUE信号処理ファイルに記録されているCUE信号処理ファイルに含まれているすべての信号処理（ディレイ８０、インサート８２、ＥＱ８３）についてのオン／オフ指示を新たなオン／オフ設定として決定する。そして、決定したオン／オフ設定に基づく信号処理がキュー信号処理部３９で行われるようにステップＳ１２にて各種の設定変更を行う。この設定変更では、キュー信号処理部３９も含めて図２に示すミキシング処理が信号処理部１５のＤＳＰで実行されることからこのＤＳＰの設定が変更されると共に、ＲＡＭ１２上のカレントバッファの現在値が書き替えられる。ステップＳ１２の処理が終了すると、キュー信号設定処理（１）は終了する。このキュー設定処理（１）を行うことにより、キュー信号処理部３９におけるキュー信号にかける信号処理の組み合わせを、簡単で迅速かつ正確に設定できるようになる。
【００２９】
第１のＣＵＥ編集ＵＩ９０およびキュー信号設定処理（１）では、チャンネル種類はINPUT(入力チャンネル)、MIX(ＭＩＸ出力チャンネル)、STEREO(ステレオ出力チャンネル)、DCAタイプ1（ＤＣＡタイプ１チャンネル）、DCAタイプ2（ＤＣＡタイプ２チャンネル）、KEYIN（キーインチャンネル）の全種類（６種類）のチャンネル種類とされている。しかし、いくつかのチャンネル種類の間ではその設定内容に関係性がある。例えば、INPUTとDCAタイプ1とは関連しており、MIXとSTEREOとの間、MIXあるいはSTEREOとDCAタイプ2の間も関連している。このような関連があるが、チャンネル種類の数だけCUE信号処理ファイルがあり、それぞれ別々に編集を行う必要があることから、CUE信号処理ファイルの編集作業に手間がかかる。さらに、関係性をもたせたいチャンネル種類毎にCUE信号処理ファイルがあることから、その関係性が正確に保たれない可能性もある。
【００３０】
そこで、次に説明する第２のＣＵＥ編集ＵＩ９１およびキュー信号設定処理（２）では、６種類のうちの、INPUT、MIX、STEREOの３つのチャンネル種類を基本種類として、残りの３つのチャンネル種類を応用種類とする。応用種類の１つずつを、基本種類のいずれかと関連付けて、関連関係をデータとして記録しておく。また、関連付けられた基本種類と応用種類との間にどのような関係があるか、その関係性（オン／オフ設定の決定規則）を規定して、応用種類ごとにオン／オフ設定の決定規則を記録しておく。CUE信号処理ファイルは、基本種類の３つのチャンネル種類分だけ用意する。そして、応用種類であるDCAタイプ1に基本種類のINPUTを関連付け、DCAタイプ1のオン／オフ設定にはINPUTのオン／オフ設定をそのまま利用するという関係性をオン／オフ設定の決定規則として規定する。また、応用種類であるDCAタイプ2に基本種類のMIX，STEREOの２つを関連付け、DCAタイプ2のオン／オフ設定にはMIX，STEREOのオン／オフ設定において２つの基本種類すべてでオンになっている信号処理はオンを設定し、いずれかがオフの信号処理はオフを設定するという関係性をオン／オフ設定の決定規則として規定する。第２のＣＵＥ編集ＵＩ９１では、チャンネル種類のリストには基本種類の３つのチャンネル種類しか表示されず、ユーザは基本種類の３つのチャンネル種類のいずれかを選択して、選択した基本種類を編集する。表示されない応用種類の編集は行うことができない。なお、決定規則とはある応用種類のキュー信号処理部３９における各信号処理のオン／オフ状態を、当該応用種類に関連付けられている基本種類のキュー信号処理ファイルに基づいて決定する決定規則である。
【００３１】
次に、CUE信号処理ファイルの編集を行う第２のＣＵＥ編集ＵＩ９１の表示画面を図１０に示す。
図１０に示す第２のＣＵＥ編集ＵＩ９１は、基本種類におけるCUE信号処理ファイルの編集を行うことができる。第２のＣＵＥ編集ＵＩ９１において、CUE信号処理ファイルの編集を行う際には、「ｃｈ種類」の欄に表示されている基本種類のリストから編集するチャンネル種類をユーザが選択する。リストには、INPUT(入力チャンネル)、MIX(ＭＩＸ出力チャンネル)、STEREO(ステレオ出力チャンネル)の基本種類（３種類）が上げられている。図示する例では矩形の枠で囲まれた「STEREO」が選択されており、選択されたステレオ出力チャンネルのチャンネル種類に対応するCUE信号処理ファイルが編集対象のファイルとして設定される。次に、「ディレイ」のオン／オフ指示を設定する欄において、ユーザがオンかオフかを選ぶ。図示する例では矩形の枠で囲まれた「オン」が選択されている。また、「インサート」のオン／オフ指示を設定する欄および「ＥＱ」のオン／オフ指示を設定する欄において、ユーザがオンかオフかを選ぶ。図示する例では、「インサート」の欄では矩形の枠で囲まれた「オン」が選択され、「ＥＱ」の欄では矩形の枠で囲まれた「オフ」が選択されている。ここで、「確定」ボタンをクリックすると選択されたオン／オフ状態が、編集対象のCUE信号処理ファイルに上書きされる。すなわち、編集対象のステレオ出力チャンネルのチャンネル種類に対応するCUE信号処理ファイルに記録されている「ディレイ」「インサート」「ＥＱ」それぞれのオン／オフ指示が選択された状態に書き換えられる。
【００３２】
次に、本発明にかかるミキシング装置１において実行されるキュー信号設定処理（２）のフローチャートを図９に示す。
チャンネルごとに用意されているいずれかのチャンネルのＣＵＥキーが操作されたときにキュー信号設定処理（２）が起動され、ステップＳ２０にて操作されたＣＵＥキーに対応するチャンネルが制御対象のチャンネルとされ、制御対象のチャンネルをキューバス３６に接続する。ステップＳ２０の処理では、前記したキュー信号設定処理（１）のステップＳ１０と同様の処理が行われることからその説明は省略する。次いで、ステップＳ２１では制御対象におけるチャンネルのチャンネル種類が基本種類か応用種類かが判定され、ステップＳ２２にて判定されたチャンネル種類が基本種類か否かが判断される。ここで、判定されたチャンネル種類が基本種類と判断された場合はステップＳ２３に進む。ステップＳ２３では、判定された基本種類に対応するCUE信号処理ファイルを読み出して、読み出したCUE信号処理ファイルに記録されているCUE信号処理ファイルに含まれているすべての信号処理（ディレイ８０、インサート８２、ＥＱ８３）についてのオン／オフ指示を新たなオン／オフ設定として決定する。
【００３３】
また、ステップＳ２２にて判定されたチャンネル種類が基本種類ではなく応用種類と判断された場合は、ステップＳ２４に分岐しステップＳ２１で判定された応用種類に基本種類を関連付けた関連関係のデータを参照して、関連付けられている基本種類を確認する。次いで、確認された関連付けられている基本種類に対応するCUE信号処理ファイルをステップＳ２５にて読み出す。さらに、ステップＳ２６にて記録されている当該応用種類のオン／オフ設定の決定規則を読み出す。そして、ステップＳ２７にてステップＳ２５で読み出されたCUE信号処理ファイルに記録されているオン／オフ指示と、ステップＳ２６にて読み出されたオン／オフ設定の決定規則に従って、当該応用種類における新たなオン／オフ設定を決定する。ステップＳ２３あるいはステップＳ２７の処理が終了すると、ステップＳ２８に進み、決定したオン／オフ設定に基づく信号処理がキュー信号処理部３９で行われるように各種の設定変更が行われる。ステップＳ２８の処理では、前記したキュー信号設定処理（１）のステップＳ１２と同様の処理が行われることからその説明は省略する。ステップＳ２８の処理が終了すると、キュー信号設定処理（２）は終了する。
【００３４】
以上の説明では応用ファイルを作成せず、CUE信号処理ファイルと決定規則に基づいてオン／オフ設定をしていたが、次に説明するようにオン／オフ設定の応用ファイルを作成して記録しておいても良い。
キュー信号設定処理（２）において、制御対象におけるチャンネルのチャンネル種類が応用種類であった場合は、実行する毎にステップＳ２４ないしステップＳ２７の処理により当該応用種類における新たなオン／オフ設定を決定する処理が行われる。これに替えて、予め応用種類毎にオン／オフ設定の応用ファイルを作成しておくことにより、キュー信号設定処理（２）を迅速に実行することができる。応用ファイルは、応用種類毎のCUE信号ファイル、および、キュー信号設定処理（２）のステップＳ２７で決定される内容に相当するファイルである。そこで、オン／オフ設定の応用ファイルを作成する応用ファイル作成処理のフローチャートを図１１に示す。
基本種類のCUE信号処理ファイルである基本ファイルのいずれかが編集された際に応用ファイル作成処理は起動され、ステップＳ３０にて編集された基本ファイルに関連付けられている応用種類が検出される。ついで、ステップＳ３１にて検出した応用種類それぞれについて編集後の基本ファイルと応用種類の決定規則に基づいてオン／オフ設定の応用ファイルを作成して記録する。ステップＳ３１の処理が終了すると、応用ファイル作成処理は終了する。このような応用ファイル作成処理を実行している場合は、キュー信号設定処理（２）において制御対象におけるチャンネルのチャンネル種類が応用種類であった場合は、ステップＳ２４ないしステップＳ２７の処理に替えてステップＳ２１で判定された応用種類に対応する応用ファイルを読み出して、読み出した応用ファイルに記録されているCUE信号処理ファイルに含まれているすべての信号処理（ディレイ８０、インサート８２、ＥＱ８３）についてのオン／オフ指示を新たなオン／オフ設定として決定すればよい。
【００３５】
次に、本発明にかかるミキシング装置１において実行されるキュー信号設定処理（３）のフローチャートを図１２に示す。
チャンネルごとに用意されているいずれかのチャンネルのＣＵＥキーが操作されたときにキュー信号設定処理（３）が起動され、ステップＳ４０にて操作されたＣＵＥキーに対応するチャンネルが制御対象のチャンネルとされ、制御対象のチャンネルをキューバス３６に接続する。この場合、制御対象のチャンネルのＣＵＥキーはオンに設定され、それまでにキューバス３６へ接続されていたチャンネルのＣＵＥキーをオフに設定して、当該チャンネルをキューバス３６から切り離す。また、いずれかのチャンネルをアサインすることができ、アサインされたチャンネルのレベル制御を行うフェーダ等が設けられているチャンネルストリップには、入力チャンネル、ＭＩＸ出力チャンネル、ステレオ出力チャンネル、ＤＣＡチャンネルをアサインすることができる。このチャンネルストリップ毎にＣＵＥキーが配置されており、操作されたＣＵＥキーのチャンネルストリップにアサインされているチャンネルが制御対象のチャンネルに設定される。なお、それまでにキューバス３６に接続されていたチャンネルが制御対象のチャンネルと同じチャンネル種類の場合は、それまでのチャンネルを切り離さず、制御対象のチャンネルを追加的にキューバス３６へ接続してもよい。
【００３６】
次いで、ステップＳ４１にて制御対象のチャンネルにおけるチャンネル種類を確認する。次いで、ステップＳ４２にて確認した制御対象のチャンネルのチャンネル種類に応じて処理が分岐される。この場合、基本種類（INPUT，STEREO，MIXの３種類）については、チャンネル種類ごとにCUE信号処理ファイルが記録されており、応用種類（KEY IN，DCAタイプ1，DCAタイプ2の３種類）については、CUE信号処理ファイルは記録されていない。そして、ステップＳ４１にて制御対象のチャンネルのチャンネル種類がINPUT（入力チャンネル）と確認された場合は、ステップＳ４２からステップＳ４３へ進み、INPUT（入力チャンネル）用のCUE信号処理ファイルが読み出される。次いで、ステップＳ４８に進み読み出されたINPUT（入力チャンネル）用のCUE信号処理ファイルに記録されているCUE信号処理ファイルに含まれているすべての信号処理（ディレイ８０、インサート８２、ＥＱ８３）についてのオン／オフ指示に従ってオン／オフ設定され、INPUT（入力チャンネル）用に設定されたオン／オフ設定に基づく信号処理がキュー信号処理部３９で行われるように、キュー信号処理部３９においてキュー信号処理のオン／オフが切り替えられる。
【００３７】
また、ステップＳ４１にて制御対象のチャンネルのチャンネル種類がMIX(ＭＩＸ出力チャンネル)と確認された場合は、ステップＳ４２からステップＳ４４へ進み、MIX(ＭＩＸ出力チャンネル)用のCUE信号処理ファイルが読み出される。次いで、ステップＳ４８に進み読み出されたMIX(ＭＩＸ出力チャンネル)用のCUE信号処理ファイルに記録されているCUE信号処理ファイルに含まれているすべての信号処理（ディレイ８０、インサート８２、ＥＱ８３）についてのオン／オフ指示に従ってオン／オフ設定され、MIX（ＭＩＸ出力チャンネル）用に設定されたオン／オフ設定に基づく信号処理がキュー信号処理部３９で行われるように、キュー信号処理部３９においてキュー信号処理のオン／オフが切り替えられる。
【００３８】
さらに、ステップＳ４１にて制御対象のチャンネルのチャンネル種類がSTEREO(ステレオ出力チャンネル)と確認された場合は、ステップＳ４２からステップＳ４５へ進み、STEREO(ステレオ出力チャンネル)用のCUE信号処理ファイルが読み出される。次いで、ステップＳ４８に進み読み出されたSTEREO(ステレオ出力チャンネル)用のCUE信号処理ファイルに記録されているCUE信号処理ファイルに含まれているすべての信号処理（ディレイ８０、インサート８２、ＥＱ８３）についてのオン／オフ指示に従ってオン／オフ設定され、STEREO(ステレオ出力チャンネル)用に設定されたオン／オフ設定に基づく信号処理がキュー信号処理部３９で行われるように、キュー信号処理部３９においてキュー信号処理のオン／オフが切り替えられる。
【００３９】
さらにまた、ステップＳ４１にて制御対象のチャンネルのチャンネル種類がKEYIN（キーインチャンネル）と確認された場合は、ステップＳ４２からステップＳ４６へ進み、制御対象のチャンネルのキーイン信号の種類が確認される。ここでは、キーイン信号がINPUT（入力チャンネル）キーイン信号か、MIX（ＭＩＸ出力チャンネル）キーイン信号か、STEREO(ステレオ出力チャンネル)キーイン信号かが確認される。次いで、確認されたキーイン信号の種類から当該キーイン信号が入力されているチャンネルのチャンネル種類が特定され、当該特定したチャンネル種類のCUE信号処理ファイルがステップＳ４７にて読み出される。すなわち、INPUT（入力チャンネル）キーイン信号ならINPUT用、MIX（ＭＩＸ出力チャンネル）キーイン信号ならMIX用、STEREO(ステレオ出力チャンネル)キーイン信号ならSTEREO用のCUE信号処理ファイルが、該当するCUE信号処理ファイルとして読み出される。なお、当該ステップＳ４７において特定されるチャンネル種類は基本種類のいずれかである。次いで、ステップＳ４８に進み読み出されたCUE信号処理ファイルに記録されているCUE信号処理ファイルに含まれているすべての信号処理（ディレイ８０、インサート８２、ＥＱ８３）についてのオン／オフ指示に従ってオン／オフ設定され、設定されたオン／オフ設定に基づく信号処理がキュー信号処理部３９で行われるように、キュー信号処理部３９においてキュー信号処理のオン／オフが切り替えられる。
さらにまた、ステップＳ４１にて制御対象のチャンネルのチャンネル種類がDCAタイプ1（ＤＣＡタイプ１チャンネル）あるいはDCAタイプ2（ＤＣＡタイプ２チャンネル）と確認された場合は、ステップＳ４２からステップＳ４９へ進み、後述するDCA用処理が行われて設定されたオン／オフ設定に基づく信号処理がキュー信号処理部３９で行われるように、キュー信号処理部３９においてキュー信号処理のオン／オフが切り替えられる。
【００４０】
ステップＳ４８あるいはステップＳ４９の処理が終了すると、ステップＳ５０に進み切り替えられたオン／オフに基づく信号処理がキュー信号処理部３９で行われるようにステップＳ５０にて各種の設定変更が行われる。この設定変更では、キュー信号処理部３９も含めて図２に示すミキシング処理が信号処理部１５のＤＳＰで実行されることからこのＤＳＰの設定が変更されると共に、ＲＡＭ１２上のカレントバッファの現在値が書き替えられる。ステップＳ５０の処理が終了すると、キュー信号設定処理（３）は終了する。このキュー信号設定処理（３）を行うことにより、キュー信号処理部３９におけるキュー信号にかける信号処理の組み合わせを、簡単で迅速かつ正確に設定できるようになる。
【００４１】
次に、キュー信号設定処理（３）のステップＳ４９で実行されるDCA用処理のフローチャートを図１３に示す。この処理の説明においては、DCAタイプ１チャンネルとDCAタイプ２チャンネルとを区別せず、両方をまとめてDCAchとして説明する。
キュー信号設定処理（３）のステップＳ４９でDCA用処理が起動されると、ステップＳ６０にて制御対象のチャンネル、つまり、制御対象のDCAchに含まれる全てのチャンネルのチャンネル種類が確認される。ここでは、制御対象のDCAchにINPUT（入力チャンネル）、MIX（ＭＩＸ出力チャンネル）、STEREO(ステレオ出力チャンネル)のいずれのチャンネル種類が含まれているか確認される。次いで、ステップＳ６０において確認されたch種類が複数であるか、つまり、制御対象のDCAchが複数のch種類を含んでいるか（制御対象のDCAchが異なるch種類のチャンネルにより構成されているか）否かがステップＳ６１にて判断される。ここで、複数のチャンネル種類を含んでいると判断された場合はステップＳ６２に進み、ステップＳ６０において確認されたすべてのch種類のCUE信号処理ファイルが読み出される。なお、前記ステップＳ６０において確認されるch種類は基本種類のいずれかである。
【００４２】
そして、ステップＳ６３にて、前記ステップＳ６２で読み出された各CUE信号処理ファイルに記録されているディレイのオン／オフ設定を確認する。読み出されたCUE信号処理ファイルの全てにおいてディレイがオンにセットされていることが確認された場合は、ステップＳ６４に進んでキュー信号処理部３９ａにおいてスイッチ８１の可動接点ｃが固定接点ａ側に切り換えられてディレイ８０がオンされる。また、ステップＳ６３にてCUE信号処理ファイルの全てにおいてディレイがオンにセットされていない、つまり、読み出されたCUE信号処理ファイルのいずれかにおいてディレイがオフにセットされていることが確認された場合は、ステップＳ６５に進んでキュー信号処理部３９ａにおいてスイッチ８１の可動接点ｃが固定接点ｂ側に切り換えられてディレイ８０がオフされる。
【００４３】
ステップＳ６４あるいはステップＳ６５の処理が終了すると、ステップＳ６６に進んでステップＳ６２で読み出された各CUE信号処理ファイルに記録されているインサートのオン／オフ設定を確認する。読み出されたCUE信号処理ファイルの全てにおいてインサートがオンにセットされていることが確認された場合は、ステップＳ６７に進んでキュー信号処理部３９ａにおいてスイッチ８２ａの可動接点ｃが固定接点ｂ側に切り換えられてインサート８２がオンされる。また、ステップＳ６６にてCUE信号処理ファイルの全てにおいてインサートがオンにセットされていない、つまり、読み出されたCUE信号処理ファイルのいずれかにおいてインサートがオフにセットされていることが確認された場合は、ステップＳ６８に進んでキュー信号処理部３９ａにおいてスイッチ８２ａの可動接点ｃが固定接点ａ側に切り換えられてインサート８２がオフされる。
【００４４】
ステップＳ６７あるいはステップＳ６８の処理が終了すると、ステップＳ６９に進んでステップＳ６２で読み出されたCUE信号処理ファイルに記録されているイコライザのオン／オフ設定を確認する。読み出された各CUE信号処理ファイルの全てにおいてイコライザ（ＥＱ）がオンにセットされていることが確認された場合は、ステップＳ７０に進んでキュー信号処理部３９ａにおいてスイッチ８４の可動接点ｃが固定接点ａ側に切り換えられてイコライザ（ＥＱ）８３がオンされる。また、ステップＳ６９にてCUE信号処理ファイルの全てにおいてイコライザ（ＥＱ）がオンにセットされていない、つまり、読み出されたCUE信号処理ファイルのいずれかにおいてＥＱがオフにセットされていることが確認された場合は、ステップＳ７１に進んでキュー信号処理部３９においてスイッチ８４の可動接点ｃが固定接点ｂ側に切り換えられてイコライザ（ＥＱ）８３がオフされる。
【００４５】
ところで、ステップＳ６１にて確認されたチャンネル種類が複数のチャンネル種類を含まず１種類と判断された場合は、ステップＳ７２に分岐する。ステップＳ７２では、確認されたチャンネル種類に該当するCUE信号処理ファイルが読み出される。次いで、ステップＳ７３に進み読み出されたCUE信号処理ファイルに記録されているCUE信号処理ファイルに含まれているすべての信号処理（ディレイ８０、インサート８２、ＥＱ８３）についてのオン／オフ指示に従ってオン／オフ設定され、設定されたオン／オフ設定に基づく信号処理がキュー信号処理部３９で行われるように、キュー信号処理部３９においてキュー信号処理のオン／オフが切り替えられる。
ステップＳ７０，ステップＳ７１あるいはステップＳ７３のいずれかの処理が終了するとDCA用処理が終了し、キュー信号設定処理（３）のステップＳ５０に戻り上記したステップＳ５０の処理が行われる。
【００４６】
本明細書においては、入力チャンネル、ステレオ出力チャンネル、MIX出力チャンネル、キーインチャンネル、DCAチャンネル（DCAタイプ1チャンネルやDCAタイプ2チャンネル）などの、各種のチャンネルを総称して「チャンネル」と呼んでいる。そして、入力チャンネル、ステレオ出力チャンネル、MIX出力チャンネル、キーインチャンネル、DCAチャンネル（DCAタイプ1チャンネルやDCAタイプ2チャンネル）の各チャンネルにおける、入力、ステレオ出力、MIX出力、キーイン、DCA（DCAタイプ1やDCAタイプ2）は、そのチャンネルの属性であるチャンネル種類を表している。各チャンネルのチャンネル種類を特定する構成には、チャンネルごとにチャンネル種類を表す情報を記憶しておき当該情報を参照してチャンネル種類を特定する構成、あるいは、チャンネル種類ごとに当該チャンネルに属するチャンネルを規定した情報を記憶しておき当該情報を参照してチャンネル種類を特定する構成などを採用できる。そして、各種のチャンネルすべてを含めて説明したい場合には、チャンネル種類を明記することなく、単に「チャンネル」と記載している。また、１つの「チャンネル」は１つの音声信号に相当し、「チャンネルの属性（チャンネル種類）」は音声信号の種類に相当している。
また、チャンネル種類のそれぞれを、基本種類と応用種類とにわけることができる。基本種類とは、キュー信号処理部３９ａにおける各種の処理（ディレイ８０、インサート８２、ＥＱ８３）のオン／オフ設定を、他のチャンネル種類に依存することなく単独で設定するチャンネル種類の総称であり、INPUT、MIX、STEREOの３つとされる。また、応用種類とは、キュー信号処理部３９ａにおける各種の処理（ディレイ８０、インサート８２、ＥＱ８３）のオン／オフ設定を、他のチャンネル種類に依存して設定するチャンネル種類の総称であり、DCAタイプ1、DCAタイプ2、KEYINの３つとされる。
【００４７】
チャンネル種類は実施例のものに限ることはなく、MATRIXチャンネル（MATRIXバスの信号を加工して出力）、GEQチャンネル（いずれかのチャンネルから入力される音声信号にEQをかけて出力）、プラグインチャンネル（いずれかのチャンネルから入力される音声信号にプラグインされたエフェクトをかけて出力）などのチャンネル種類を加えるようにしても良い。この場合、MATRIXチャンネルは基本種類としてのチャンネル種類（入力チャンネル、ステレオ出力チャンネル、MIX出力チャンネル）と同様に扱い、GEQチャンネル、プラグインチャンネルは応用種類としてのチャンネル種類（キーインチャンネル、DCAチャンネル）と同様に扱うのが好適とされる。
【００４８】
また、本明細書においては、１つのDCAグループは複数のチャンネルを含み、１つのDCAグループが１つのDCAチャンネルに相当している。ミキシング装置１では複数のDCAグループを構成することができ、チャンネル種類が同じ複数のチャンネルをまとめて１つのDCAグループを構成したり（ＤＣＡタイプ1、チャンネル種類が違う複数のチャンネルをまとめて１つのDCAグループを構成する（ＤＣＡタイプ2）ことができる。
【００４９】
さらに、本明細書においては、１つのキーイン信号は１つのキーインチャンネルに相当している。キーイン信号は、当該キーイン信号が入力されているチャンネルの属性（チャンネル種類）に応じて種類分けされており、具体的には、入力チャンネルに入力されたキーイン信号（入力チャンネルキーイン信号)、ステレオ出力チャンネルに入力されたキーイン信号(ステレオ出力チャンネルキーイン信号)、MIX出力チャンネルに入力されたキーイン信号(MIX出力チャンネルキーイン信号)、の複数種類（３種類）がある。
【００５０】
本明細書においてキュー（ＣＵＥ）とは、本明細書の背景技術において説明したように、従来からミキシング装置で一般的に使用されている機能であって、ミキシング状態を変化させずに、選択された特定のチャンネルの信号を検聴する（モニタする）機能である。また、当該検聴する（モニタする）信号をキュー信号と呼んでいる。
本明細書における「信号」とは、「制御信号」と記載されている信号を除き、他のいずれの「信号」も音声信号をあらわしている。
【産業上の利用可能性】
【００５１】
なお、キュー信号処理部３９における各信号処理（実施例ではディレイ、インサート、ＥＱ）のオン／オフ設定を定義したデータを記憶する形式は、実施例のCUE信号処理ファイルのようなファイル形式に限定されることなく、テーブル形式など参照可能なデータとして記憶する形式であればどのような形式でもよい。
【００５２】
なお、図７および,図１０に示すＣＵＥ編集ＵＩ９０、９１においてCUE信号処理ファイルが編集されたときに、当該編集時点においてCUEされているチャンネルを制御対象として図８、図９あるいは図１２に示すキュー信号設定処理（１）〜（３）のいずれかを起動し、編集後の新たなオン／オフ設定を直ちにミキシング装置１へ反映するとよい。また、作成あるいは編集されたCUE信号処理ファイルはＲＡＭ１２上に記録される。
【００５３】
なお、キュー信号処理部３９に入力されるキュー信号に対して実行される一連の信号処理は実施例で説明した「ディレイ」「インサート」「ＥＱ」の３つに限ることはなく、コンプレッサやフィルタなどの他の信号処理を併せて実行するようにしても良い。また、信号処理の数と組み合わせは上記説明した実施例に限るものではなく、上記した３つの信号処理の内のいずれかの２つでも良いし、他の信号処理を含む４つ以上としても良い。信号処理の並び順も、上記説明した実施例に限るものではない。
【００５４】
なお、カレントバッファに記録されている、キュー信号処理部３９の各種処理（ディレイ、インサート、EQ）のオン／オフ設定の現在値は自動的に設定されるようにしたが、それとあわせて、ユーザが任意に変更できるようにしてもよい。
【符号の説明】
【００５５】
１  ミキシング装置、１０  ＣＰＵ、１１  フラッシュメモリ、１２  ＲＡＭ、１３  その他Ｉ／Ｏ、１４  波形Ｉ／Ｏ、１５  信号処理部（ＤＳＰ）、１６  表示器、１７  電動フェーダ、１８  操作子、１９  バス、２０  操作者用モニタ、３０  アナログ入力ポート部、３１  ディジタル入力ポート部、３２  入力パッチ、３３  入力ｃｈ部、３３ａ  入力チャンネル、３４  混合バス、３５  ステレオバス、３６  キューバス、３７  ステレオ出力ｃｈ部、３７ａ  ステレオ出力チャンネル、３８  ＭＩＸ出力ｃｈ部、３８ａ  出力チャンネル、３９  キュー信号処理部、３９ａ  キュー信号処理部、４０  出力パッチ、４１  アナログ出力ポート部、４２  ディジタル出力ポート部、４３  ＣＵＥ用Ａ出力（ＳＴ）ポート、５０  処理部、５１  ＣＨフェーダ、５２  ＣＨオンスイッチ、５３  INPUT CUEキー、５４  KEYIN CUEキー、６０  処理部、６１  ＣＨフェーダ、６２  ＣＨオンスイッチ、６３  KEYIN CUEキー、６４  INPUT CUEキー、７０  処理部、７１  ＣＨフェーダ、７２  ＣＨオンスイッチ、７３  KEYIN CUEキー、７４  INPUT CUEキー、８０  ディレイ、８１  スイッチ、８２  インサート、８２ａ  スイッチ、８４  スイッチ、８５  フェーダ、８６  スイッチ、９０  ＣＵＥ編集ＵＩ、９１  ＣＵＥ編集ＵＩ
【図１】
0005565045.tif 000002
【図２】
0005565045.tif 000003
【図３】
0005565045.tif 000004
【図４】
0005565045.tif 000005
【図５】
0005565045.tif 000006
【図６】
0005565045.tif 000007
【図７】
0005565045.tif 000008
【図８】
0005565045.tif 000009
【図９】
0005565045.tif 000010
【図１０】
0005565045.tif 000011
【図１１】
0005565045.tif 000012
【図１２】
0005565045.tif 000013
【図１３】
0005565045.tif 000014